(57)【要約】【課題】より部品数が少なくて構成の簡単な移動体通信端末用アンテナの給電装置を提供すること。【解決手段】常時は筐体に収容されており該筐体から引き出して使用される棒状アンテナＷＡ、および前記筐体内のキャリアに取り付けられた状態で使用される内蔵アンテナＩＡを有し、前記棒状アンテナの収容時は前記内蔵アンテナが使用され、前記棒状アンテナを引き出す際に前記キャリアに設けられた切換スイッチＳＷが操作されることにより前記内蔵アンテナから前記棒状アンテナに切り換えられる移動体通信端末用アンテナにおいて、前記棒状アンテナの常時筐体内におかれる端部に設けられ、周方向に延びる溝を有するストッパＳＴと、前記筐体における前記棒状アンテナの引出し口近くに設けられ、一端が前記ストッパの溝に弾性係合する導電性バネＬＳとをそなえたことを特徴とする移動体通信端末用アンテナの給電装置。【選択図】　図１
2004088656.tif 000002
【特許請求の範囲】
【請求項１】
常時は筐体に収容されており該筐体から引き出して使用される棒状アンテナ、および前記筐体内のキャリアに取り付けられた状態で使用される内蔵アンテナを有し、前記棒状アンテナの収容時は前記内蔵アンテナが使用され、前記棒状アンテナを引き出す際に前記棒状アンテナ近傍に設けられた切換スイッチが操作されることにより前記内蔵アンテナから前記棒状アンテナに切り換えられる移動体通信端末用アンテナにおいて、
前記棒状アンテナの常時筐体内におかれる端部に設けられ、周方向に延びる溝を有するストッパと、
前記筐体における前記棒状アンテナの引出し口近くに設けられ、一端が前記ストッパの溝に弾性係合する導電性バネと
をそなえたことを特徴とする移動体通信端末用アンテナの給電装置。
【請求項２】
請求項１記載の移動体通信端末用アンテナの給電装置において、
前記導電性バネは、中央部に前記キャリアに固定するための突出片を有し、他端が前記移動体通信端末の回路基板に弾性接続される移動体通信端末用アンテナの給電装置。
【請求項３】
請求項１記載の移動体通信端末用アンテナの給電装置において、
前記導電性バネは、１枚の板状材料により形成されてなる移動体通信端末用アンテナの給電装置。
【発明の詳細な説明】
【０００１】
【産業上の利用分野】
本発明は、移動体通信端末用アンテナの給電装置に係り、とくに給電装置の構造の簡単化に関する。
【０００２】
【従来の技術】
移動体情報通信端末としては、いくつかの機器が汎用されている。ここでは、その一例として携帯電話機を例に取る。従来、携帯電話機のアンテナは、図４（ａ），（ｂ）に示すように、棒状アンテナＷＡと内蔵アンテナＩＡとを切換使用する。すなわち携帯電話機には、伸縮式の棒状アンテナＷＡと筐体から立ち上がった２つのボスに支持されているキャリアＣＲに設けた内蔵アンテナＩＡとが設けられている。そして、棒状アンテナＷＡを引き出したときは棒状アンテナＷＡを使用し、棒状アンテナＷＡを収納したときは内蔵アンテナＩＡを使用する。
【０００３】
この切換は、棒状アンテナＷＡの引出し、収納に連動する切換スイッチＳＷによって行う。切換スイッチＳＷは、携帯電話機の筐体における棒状アンテナＷＡの引出し口近傍に設け、回路基板ＰＢまたはキャリアＣＲに設けられた切換スイッチＳＷの作動子を、棒状アンテナＷＡの筐体内に置かれる端部に設けられたストッパ（図示せず）でカムを引き上げ操作するようにしている。
【０００４】
図５は、このストッパＳＴがキャリアＣＲに取り付けられたホルダＨＬ内で内バネＩＳと摺動しつつ移動していき、最大限に引き出された状態を示している。この状態では、回路基板ＰＢに設けられた板バネＳＰが金属製のホルダＨＬおよび内バネＩＳを介してストッパＳＴに当接し、棒状アンテナＷＡと回路基板ＰＢとが接続され、一方図５におけるホルダＨＬの背後にあるカムにより切換スイッチの切換動作が行われ、内蔵アンテナは回路基板ＰＢの回路から切離される。
【０００５】
【発明が解決しようとする課題】
ここにおいて、このストッパＳＴ周りの構成を見ると、ホルダＨＬ内に装着されてストッパＳＴと直接当接する内バネＩＳ、および回路基板ＰＢと接触するバネＳＰが設けられており、これらの協働により給電が行われる。
【０００６】
本発明は上述の点を考慮してなされたもので、より部品数が少なくて構成の簡単な移動体通信端末用アンテナの給電装置を提供することを目的とする。
【０００７】
【課題を解決するための手段】
上記目的達成のため、本発明では、
常時は筐体に収容されており該筐体から引き出して使用される棒状アンテナ、および前記筐体内のキャリアに取り付けられた状態で使用される内蔵アンテナを有し、前記棒状アンテナの収容時は前記内蔵アンテナが使用され、前記棒状アンテナを引き出す際に前記キャリアに設けられた切換スイッチが操作されることにより前記内蔵アンテナから前記棒状アンテナに切り換えられる移動体通信端末用アンテナにおいて、前記棒状アンテナの常時筐体内におかれる端部に設けられ、周方向に延びる溝を有するストッパと、前記筐体における前記棒状アンテナの引出し口近くに設けられ、一端が前記ストッパの溝に弾性係合する導電性バネとをそなえたことを特徴とする移動体通信端末用アンテナの給電装置、
を提供するものである。
【０００８】
【発明の実施の形態】
図１は、本発明の一実施例を図５に対応させて示したものである。この図１に示すように、棒状アンテナＷＡの常時筐体内に置かれる端部にはストッパＳＴが設けられており、ストッパＳＴにはその周囲に環状の溝が設けられている。
【０００９】
このストッパＳＴは、棒状アンテナＷＡが最大限に引き出されたときに、内蔵アンテナＩＡを有し筐体（図示せず）に固定されるキャリアＣＲに保持されているホルダＨＬに係止する。そして、ホルダＨＬの側部に明けられた穴に入り込んでいる導電性バネＬＳのアンテナ接続部ＬＳ２が、ストッパＳＴの環状溝に係合して、電気的接続を行うとともにストッパＳＴのクリックを伴う係止が行われるようにしている。
【００１０】
この導電性バネＬＳの他端である回路接続部ＬＳ１は、回路基板ＰＢに常時当接しているから、棒状アンテナＷＡが最大限に引き出されると、回路基板ＰＢと棒状アンテナＷＡとが導電性バネＬＳを介して接続される訳である。
【００１１】
この回路基板ＰＢと棒状アンテナＷＡとの仲立ちをする導電性バネＬＳは、その中央部がキャリアＣＲに固定されており、回路接続部ＬＳ１およびアンテナ接続部ＬＳ２を支持している。
【００１２】
これにより、棒状アンテナＷＡが引き出されてストッパＳＴの環状溝にアンテナ接続部ＬＳ２が係合するときに、クリック動作が行われ、棒状アンテナＷＡを引き出した操作者にクリック動作を感得させる。
【００１３】
一方、棒状アンテナＷＡを筐体内に収容するときは、このようなはっきりとしたクリック感はないにしても、まず摺動の抵抗感を持たせてから滑らかに収納のための摺動に移行する感覚を持たせることができる。
【００１４】
そして、導電性バネＬＳがストッパＳＴと直に当接しているため、ストッパＳＴに対して導電性バネＬＳが摺動作用力を与えることができる。したがって、摺動作用とかクリック動作を行うために、ホルダＨＬ内に内バネ等の他の要素を設けることを要しない。
【００１５】
図２（ａ），（ｂ）は、図１に示した導電性バネＬＳの形状、構造を示す拡大正面図および拡大側面図である。この導電性バネＬＳは、たとえばリン青銅などの板状導電性バネ材を打抜き、曲げ成形して構成したものであり、上述の回路接続部ＬＳ１、アンテナ接続部ＬＳ２の他に、キャリア（図示せず）に導電性バネＬＳを固定するための突出片ＬＳ３がある。
【００１６】
この固定用突出片ＬＳ３は、キャリアに予め設けられた穴に差し込まれるように、平板状に形成されている。これに対して回路接続部ＬＳ１およびアンテナ接続部ＬＳ２は、接続対象に対して圧力を持って接触するために、撓みやすい形状に湾曲されている。
【００１７】
図示の場合、回路接続部ＬＳ１とアンテナ接続部ＬＳ２とは、接続対象に位置合わせして、図２（ａ）に示すように幅方向に位置がずれた形状に構成されている。接続対象がこのような構成を要しない場合は、位置的ずれのない形状とすればよい。
【００１８】
図３（ａ），（ｂ）は、本発明に係るアンテナの給電装置を組み込んだ携帯電話機の内部構造を示す側面図および正面図である。そして、図３（ａ）に示した側面形状に表れているように、ホルダＨＬに明けられた穴に導電性バネＬＳのアンテナ接続部ＬＳ１の先端部が差し込まれている。ただし、図３の状態は棒状アンテナＷＡを筐体内のチューブＴＵに収納した状態であり、棒状アンテナＷＡを回路基板ＰＢに接続し、回路基板ＰＢ上で開放状態になっている。
【００１９】
また、図３（ｂ）に示すように、ホルダＨＬに隣接して切換スイッチＳＷが設けられており、この切換スイッチＳＷの切換動作により棒状アンテナＷＡと内蔵アンテナＩＡとの切換が行われる。切換スイッチＳＷは、棒状アンテナＷＡの近傍、たとえばキャリアＣＲとか回路基板ＰＢに設けられる。
【００２０】
この棒状アンテナＷＡの不使用状態（内蔵アンテナの使用状態）から、棒状アンテナＷＡのアンテナトップＴＰを摘んで引き出すことにより、図１に示す棒状アンテナＷＡの使用状態に移行する。
【００２１】
【発明の効果】
本発明は上述のように、棒状アンテナのストッパに溝を設ける一方、この溝に弾性係合するように配された導電性バネによって棒状アンテナと回路基板との接続を行うようにしたため、導電性バネに棒状アンテナの摺動力を与えるとともに棒状アンテナを最大限引き出した時のクリック動作を行わせることができる。このため、従来のアンテナに設けられていた内バネを省略することができ、組立工程を削減することができる。
【図面の簡単な説明】
【図１】本発明の一実施例の構成を示す説明図。
【図２】図１に示した実施例に用いる導電性バネを示す図で、図２（ａ）は正面図、図２（ｂ）は側面図。
【図３】図１に示した実施例を組み込んだ携帯電話機を示す図で、図３（ａ）は側面図、図３（ｂ）は正面図。
【図４】従来のアンテナを組み込んだ携帯電話機を示す図で、図４（ａ）は側面図、図４（ｂ）は正面図。
【図５】図４に示した携帯電話機のアンテナを引き出したときのストッパ近傍の状態を示す図。
【符号の説明】
ＰＢ　回路基板
ＷＡ　棒状アンテナ
ＳＴ　ストッパ
ＬＳ　導電性バネ
ＨＬ　ホルダ
ＩＡ　内蔵アンテナ
ＣＲ　キャリア
ＳＷ　切換スイッチ
ＴＵ　チューブ
ＳＰ　バネ
ＩＳ　内バネ
ＴＰ　アンテナトップ
【図１】
2004088656.tif 000003
【図２】
2004088656.tif 000004
【図３】
2004088656.tif 000005
【図４】
2004088656.tif 000006
【図５】
2004088656.tif 000007